(57)【要約】【課題】  正確かつ確実に非常止め装置を作動させ、ピット内作業者の安全を確保することができるエレベータの安全装置を得る。また、作動体を常時取り付けておき、ピット内作業時に作動体を使用状態とし、作業後に復帰することを忘れても、エレベータ機器に損傷を与えることがないエレベータの安全装置を得る。【解決手段】  エレベータかご１あるいは釣合い錘に設けられた非常止め装置３と、かごあるいは釣合い錘の昇降を案内するガイドレール４と、昇降路ピット部６のガイドレール４に回動可能に設けられた作動体５とを備え、作動体は、通常時ガイドレールと平行な垂直状態に保持されており、ピット内作業時には回動されてガイドレールと直交する水平状態に固定され、かごあるいは釣合い錘が下降してきたとき、非常止め装置を作動させる。【選択図】    図１
2005255294.tif 000002
【特許請求の範囲】
【請求項１】
エレベータかごあるいは釣合い錘に設けられた非常止め装置と、
昇降路ピットの固定部に回動可能に設けられた作動体とを備え、
前記作動体は、通常時垂直状態に保持されており、ピット内作業時には回動されて水平状態に固定され、前記かごあるいは釣合い錘が下降してきたとき、前記非常止め装置を作動させることを特徴とするエレベータの安全装置。
【請求項２】
エレベータかごあるいは釣合い錘に設けられた非常止め装置と、
前記かごあるいは釣合い錘の昇降を案内するガイドレールと、
昇降路ピット部の前記ガイドレールに回動可能に設けられた作動体とを備え、
前記作動体は、通常時ガイドレールと平行な垂直状態に保持されており、ピット内作業時には回動されてガイドレールと直交する水平状態に固定され、前記かごあるいは釣合い錘が下降してきたとき、前記非常止め装置を作動させることを特徴とするエレベータの安全装置。
【請求項３】
作動体が垂直状態に保持されている通常時は自動運転を可能とし、かつ作動体が水平状態に固定されているピット内作業時は自動運転を阻止する作動体検出スイッチを作動体の近傍に設けたことを特徴とする請求項１又は請求項２記載のエレベータの安全装置。
【請求項４】
作動体および作動体検出スイッチをそれぞれの取付金具によりガイドレールに取り付けたことを特徴とする請求項３記載のエレベータの安全装置。
【発明の詳細な説明】
【技術分野】
【０００１】
この発明は、エレベータの安全装置、さらに詳しくは、昇降路ピット内作業者の安全を確保するための安全装置に関するものである。
【背景技術】
【０００２】
従来のエレベータの安全装置においては、エレベータ昇降路内のガイドレールにおけるピット部の位置に装着され、かごあるいは釣合い錘が所定距離まで下降してきたとき、かごあるいは釣合い錘に設けられている非常止め装置を作動させるための作動体を備えたものがある（例えば、特許文献１参照）。
【０００３】
【特許文献１】特開平４−３３３４８１号公報
【発明の開示】
【発明が解決しようとする課題】
【０００４】
従来のエレベータの安全装置では、図４に示すように、ピット内作業者７はピット部６内に入り、自らの安全を確保するために、作業の都度、かご１あるいは釣合い錘に設けられている非常止め装置３を作動させるための作動体５をピット内作業者７の背丈より少し上のガイドレール４に取り付けている。このように構成された従来の安全装置は、かご１あるいは釣合い錘がピット部の位置のガイドレール４に装着された作動体５の位置まで下降してきた時、非常止め装置３を作動させ、かご１の降下を停止させることができる。
しかしながら、従来の安全装置は、ピット内作業者が作業の都度取り付け、取り外しを行うため、取り付け不良による作動不良の問題や、作業後の取り外し忘れによるエレベータ機器の破損等の懸念があった。
【０００５】
この発明は、上述のような課題を解決するためになされたもので、その目的は、正確かつ確実に非常止め装置を作動させ、ピット内作業者の安全を確保することができるエレベータの安全装置を提供するものである。また、作動体を常時取り付けておき、ピット内作業時に作動体を使用状態とし、作業後に復帰することを忘れても、エレベータ機器に損傷を与えることがないエレベータの安全装置を提供するものである。
【課題を解決するための手段】
【０００６】
この発明に係るエレベータの安全装置は、エレベータかごあるいは釣合い錘に設けられた非常止め装置と、昇降路ピットの固定部に回動可能に設けられた作動体とを備え、作動体は、通常時垂直状態に保持されており、ピット内作業時には回動されて水平状態に固定され、かごあるいは釣合い錘が下降してきたとき、非常止め装置を作動させるものである。
【０００７】
また、エレベータかごあるいは釣合い錘に設けられた非常止め装置と、かごあるいは釣合い錘の昇降を案内するガイドレールと、昇降路ピット部のガイドレールに回動可能に設けられた作動体とを備え、作動体は、通常時ガイドレールと平行な垂直状態に保持されており、ピット内作業時には回動されてガイドレールと直交する水平状態に固定され、かごあるいは釣合い錘が下降してきたとき、非常止め装置を作動させるものである。
【０００８】
また、作動体が垂直状態に保持されている通常時は自動運転を可能とし、かつ作動体が水平状態に固定されているピット内作業時は自動運転を阻止する作動体検出スイッチを作動体の近傍に設けたものである。
【０００９】
また、作動体および作動体検出スイッチをそれぞれの取付金具によりガイドレールに取り付けたものである。
【発明の効果】
【００１０】
この発明によれば、作動体は常時取り付けられており、作動体を回動させるのみで非常止め装置を作動させることができるので、ピット内作業の都度作動体を取り付けたり、取り外したりする面倒な作業が不要となる。また、嵩張ることもないので、ピット内作業に支障を来たすこともなく、ピット内作業者の安全を正確に、簡単確実に確保することができる。また、ピット内作業終了後に作動体を復帰するのを忘れても、作動体検出スイッチにより自動運転モードでの運転を阻止することとしているため、エレベータ機器の破損を防止することができる。
【発明を実施するための最良の形態】
【００１１】
実施の形態１．
図１はこの発明の実施の形態１におけるエレベータの安全装置のピット内作業時の状態を示すピット部の正面図、図２はこの発明の実施の形態１におけるエレベータの安全装置の自動運転モード時の状態を示すピット部の正面図、図３は図１のＡ−Ａ線に沿った断面図である。
【００１２】
図において、１はエレベータかご、２はかご枠、３はかご枠２に取り付けられた非常止め装置、４はガイドレール、５は安全装置の作動体、６は昇降路ピット部、７はピット内作業者、８は調速機ロープ１０に緊縛されている非常止め動作レバー、１１は調速機ロープ張り車である。非常止め装置３と、非常止め動作レバー８とはピン１２により連結されており、非常止め動作レバー８はピン１２を支点として上方に持ち上げられた時に、非常止め装置３が動作する周知の構造である。
この非常止め動作レバー８を作動させる作動体５は、作動体取付金具１５に鉄などから成る金属製ピン１３を中心に回動可能な状態で連結されている。そして、この作動体取付金具１５は、ピット部６のガイドレール４の所定位置にボルト１４により固定されている。また、作動体検出スイッチ９は、作動体５が非常止め装置３を作動可能な状態、すなわち自動運転阻止状態になっているか、あるいは作動体５が非常止め装置３を作動させない状態、すなわち自動運転可能状態になっているかを検出するスイッチである。この作動体検出スイッチ９は、作動体５の上部近傍に設置されており、ピット部６のガイドレール４に検出スイッチ取付金具１６により固定されている。
【００１３】
次に、エレベータの安全装置の動作について説明する。
通常自動運転モード時、作動体５は、図２に示すように、ガイドレール４と平行な直立状態に保持されている。この時、作動体検出スイッチ９は接点が閉じており、自動運転可能な状態になっている。そして、ピット内作業を行う時は、作業者７が作動体５を図２の直立状態から非常止め装置３側に９０度回動させることにより、図１に示すように、ガイドレール４と直交する水平状態に変化させて固定する。この時、作動体検出スイッチ９は接点が開放されて、自動運転阻止状態にすることができ、この状態でピット内作業を行う。
ピット内作業中において、かご１が下降し、万一作動体５の位置に到達した場合、非常止め動作レバー８が作動体５により持ち上げられ、非常止め装置３が作動し、かご１の下降を停止させることができる。
【００１４】
したがって、この発明のエレベータの安全装置によれば、作動体は常時取り付けられており、作動体を９０度回動させるのみで非常止め装置を作動させることができるので、ピット内作業の都度作動体を取り付けたり、取り外したりする面倒な作業が不要となる。また、嵩張ることもないので、ピット内作業に支障を来たすこともなく、ピット内作業者の安全を正確に、簡単確実に確保することができる。
また、ピット内作業終了後に、万一、作動体５を図２の状態に復帰するのを忘れても、作動体検出スイッチ９により自動運転モードでの運転を阻止することとしているため、エレベータ機器の破損を防止することができる。
【００１５】
なお、図示しないが、釣合い錘にも非常止め装置が設けられている場合は、同様に釣合い錘側ガイドレールに作動体を取り付けることにより、ピット内作業時に下降してきた釣合い錘に挟まれる事故とか、かご上作業時にかご室と昇降路天井に挟まれる事故も防止することができる。
また、実施の形態１では、作動体５および作動体検出スイッチ９をピット部６のガイドレール４にそれぞれの取付金具１５、１６により取り付けているが、昇降路ピットの固定部に取り付けるようにしても良い。
【図面の簡単な説明】
【００１６】
【図１】この発明の実施の形態１におけるエレベータの安全装置のピット内作業時の状態を示すピット部の正面図である。
【図２】この発明の実施の形態１におけるエレベータの安全装置の自動運転モード時の状態を示すピット部の正面図である。
【図３】図１のＡ−Ａ線に沿った断面図である。
【図４】従来のエレベータの安全装置を示すピット部の側面図である。
【符号の説明】
【００１７】
１  エレベータかご
２  かご枠
３  非常止め装置
４  ガイドレール
５  安全装置の作動体
６  ピット部
７  ピット内作業者  
８  非常止め動作レバー  
９  作動体検出スイッチ  
１０  調速機ロープ
１１  調速機ロープ張り車
１２  ピン  
１３  金属製ピン  
１４  ボルト
１５  作動体取付金具  
１６  検出スイッチ取付金具  
【図１】
2005255294.tif 000003
【図２】
2005255294.tif 000004
【図３】
2005255294.tif 000005
【図４】
2005255294.tif 000006